(57)【要約】【課題】タイムスケジュールが明確に分かるようにすること。【解決手段】エアーバッグ１５〜２０とマイナスイオンを出す電床帯２３とローラ２１Ａ，２１Ｂを有するメカマッサージ機２１とヒータ２２とバイブレータ２４とを有するマッサージ装置１０であって、各マッサージ機能別にタイムスケジュールをガントチャートで表示するタイムスケジュール表示部３７を備えている。【選択図】　図３
2004057476.tif 000002
【特許請求の範囲】
【請求項１】
複数のマッサージ機能を備えたマッサージ装置であって、
各マッサージ機能別にタイムスケジュールをガントチャートで表示する表示部を備えたことを特徴とするマッサージ装置。
【請求項２】
前記表示部に表示されるガントチャート上に現時点を示す指標を表示することを特徴とする請求項１に記載のマッサージ装置。
【請求項３】
前記表示部は、各マッサージ機能別に現時点における残りのタイムスケジュールをバー表示することを特徴とする請求項１に記載のマッサージ装置。
【発明の詳細な説明】
【０００１】
【発明の属する技術分野】
この発明は、マッサージ機能が異なる例えばエアーバックやバイブレータなどを備えたマッサージ装置に関する。
【０００２】
【従来の技術】
従来から、エアーバックの他にバイブレータや電位治療用の電床帯等を設けたマッサージ装置が知られている。
【０００３】
かかるマッサージ装置では、エアーバックによるマッサージと、バイブレータによるマッサージと、電床帯による電位治療とが各マッサージコースによってその順番やマッサージ時間が予め決められていたり、それらの順番や時間を所望に応じて設定できるようになっている。
【０００４】
このマッサージ装置は、予め決められた順番や設定した順番に、そして予め決められた時間や設定した時間だけ各マッサージや電位治療を行っていくようになっている。
【０００５】
【発明が解決しようとする課題】
しかしながら、このようなマッサージ装置にあっては、タイムスケジュールが表示されないので、マッサージの順番やマッサージの時間などを使用者が設定した場合であっても、そのタイムスケジュールを視認することができず、このためタイムスケジュールが分かりづらいという問題があった。
【０００６】
この発明の目的は、マッサージ機能別にそのタイムスケジュールが明確に分かるマッサージ装置を提供することにある。
【０００７】
【課題を解決するための手段】
この発明のマッサージ装置は、複数のマッサージ機能を備えたマッサージ装置であって、各マッサージ機能別にタイムスケジュールをガントチャートで表示する表示部を備えたことを特徴とする。
【０００８】
【発明の実施の形態】
以下、この発明の実施の形態を図面に基づいて説明する。
【０００９】
図１において、１０は椅子式マッサージ装置であり、この椅子式マッサージ装置１０は座部１１と背もたれ部１２とアームレスト部１３Ａ、１３Ｂとオットマン１４とを備えている。
【００１０】
座部１１には、臀部用のエアーバッグ１５とマイナスイオンを出す電床帯２３とが設けられている。この電床帯２３は、マイナスイオンを出すことによって電位治療を行うものであり、電位治療というマッサージ機能を有している。
【００１１】
背もたれ部１２には、腰用のエアーバッグ１６と背中用のメカマッサージ機２１と腰を暖めるヒータ２２とが設けられている。ヒータ２２は腰を暖めることによるマッサージ機能を有している。
【００１２】
メカマッサージ機２１は、上下方向に移動するローラ２１Ａ、２１Ｂを有し、これらのローラ２１Ａ、２１Ｂが人体の背筋に沿って移動することによりマッサージを行うものである。
【００１３】
オットマン１４にはふくらはぎ用のエアーバッグ１７〜２０と、図２に示すようにバイブレータ２４とが設けられている。すなわち、オットマン１４には使用者の下肢を個別に出し入れ可能に収容しうるＵ字状の施療凹部１４Ａ、１４Ｂが形成され、エアーバッグ１７〜２０はこの凹部１４Ａ、１４Ｂの両側面に設けられている。各エアーバッグ１７〜２０はその膨張収縮によってマッサージを行うものである。バイブレータ２４は凹部１４Ａ、１４Ｂ間に設けられており、このバイブレータ２４は施療凹部１４Ａ、１４Ｂ内の下肢に振動刺激を与えてマッサージを行うものである。
【００１４】
そして、エアバック１５〜２０とヒータ２２と電床帯２３とバイブレータ２４はそれぞれ異なるマッサージ機能を有している。
【００１５】
２５は椅子式マッサージ装置１０の座部１１の下に配置された駆動装置であり、この駆動装置２５はエアーバッグ１５〜２０を膨縮させる給排気部（図示せず）を有するとともに、メカマッサージ機２１のローラ２１Ａ，２１Ｂ，バイブレータ２４，電床帯２３，ヒータ２２等の動作を制御する制御部（図示せず）を有している。
【００１６】
図３はこのマッサージ装置１０に使用するリモートコントロール装置（リモコン）３０を示すもので、このリモコン３０はアームレスト部１３Ａに設けた図示しないポケットに収納できるようになっている。
【００１７】
リモコン３０は、電源スイッチ３１とエアーマッサージ設定スイッチ部３２とメカマッサージ設定スイッチ部３３とバイブレータ設定スイッチ３４と電位治療設定スイッチ３５とヒータ設定スイッチ３６とタイマーモード設定スイッチ３９とタイマーの時間を設定する時間設定スイッチ４０とタイムスケジュール表示部３７とを備えている。
【００１８】
エアーマッサージ設定スイッチ部３２は操作ボタン３２Ａを押すことにより、エアーバッグ１５〜２０によるマッサージの各コースを順次選択されていくものである。また、エアーマッサージ設定スイッチ部３２は操作ボタン３２Ｂを押すことにより脚部，臀部，腰等を順次ポイント指定していくものである。更に、操作ボタン３２Ｃを押すことによりエアバック１５〜２０によるマッサージを行うことができるようになっており、２回目の操作でそのマッサージが停止される。
【００１９】
メカマッサージ設定スイッチ３３は操作ボタン３３Ａを押すことにより、メカマッサージ機２１による首部，背中等のマッサージコースが順次選択されていくものである。また、メカマッサージ設定スイッチ３３は操作ボタン３３Ｂを押すことにより首部や背中の各部位をポイント指定していくものである。そして、操作ボタン３３Ｃを押すことによりメカマッサージ機２１によるマッサージを行うことができるようになっており、２回目の操作でそのマッサージが停止される。
【００２０】
タイマーモード設定スイッチ３９は押される毎にエアマッサージ，メカマッサージ，バイブレータ，電位治療，ヒータが順次選択されていき（図示しないランプが点灯して選択されているものが分かるようになっている）、この選択されたものについてタイマを設定することができるようになっている。例えば、タイマーモード設定スイッチ３９の操作によりエアーマッサージが選択されている場合、時間設定スイッチ４０の操作によりそのエアーマッサージの開始時間の設定と終了時間の設定とが行えるようになっている。
【００２１】
メカマッサージ，バイブレータ，電位治療，ヒータについても同様にして開始時間の設定と終了時間の設定とが行えるようになっている。
【００２２】
タイムスケジュール表示部３７の上には、左から右へ時間を目盛った目盛り部３７Ａを有している。目盛り部３７Ａは、１５分までは１分刻みで目盛っており、その後に３０分、その後は１時間刻みで８時間まで目盛ってある。
【００２３】
また、タイムスケジュール表示部３７の左端には、各マッサージ機能を示す「エアーマッサージ」，「メカマッサージ」，「バイブレータ」，「電位治療」，「ヒータ」の項目３７Ｂ〜３７Ｆがこの順で上から下に表示されており、この項目３７Ｂ〜３７Ｆの左側にタイムスケジュールがガントチャートで表示されるようになっている。
【００２４】
ここでは、１例としてエアーマッサージとメカマッサージがスタート時から１５分間、バイブレータがスタート時から５分間、ヒータがスタート時から８時間、電位治療がエアマッサージの終了時点から開始して２時間３０分間行われることをバー３７ｂ，３７ｃ，３７ｄ，３７ｅ，３７ｆで示している。
【００２５】
このように、各マッサージのタイムスケジュールをガントチャートで表示したものであるから、そのタイムスケジュールが一目で分かり、どの時点からどのマッサージが行われるかが明確に分かることになる。しかも、マッサージが開始される時点から終了する時点までがバーの長さで示されていることによりマッサージが行われる時間を感覚的に認識することができる。
【００２６】
図４は、現時点がタイムスケジュール上でどの時点であるかを示すマーク（指標）３７Ｇを目盛り部３７Ａに沿ってガントチャート上に表示するようにしたものである。このマーク３７Ｇにより、設定したマッサージがタイムスケジュール上でどの時点まで進んだのかを確認することができる。なお、マーク３７Ｇは点滅表示させてもよい。
【００２７】
図５は、第２実施形態のタイムスケジュール表示部３７を示したものである。この第２実施形態では、現時点を目盛り部３７Ａのゼロに一致させてタイムスケジュールをガントチャートで表示するようにしたものであり、以後のスケジュールが一目で分かることになる。この図５は第３図に示すタイムスケジュールを７分経過した例を示す。
【００２８】
また、この第２実施形態によれば、現時点（ゼロ）に近い部分では１分刻みで時間が目盛られているので、次に行われるマッサージが何であるかを正確に判断することができる。
【００２９】
上記実施形態では、椅子式マッサージ装置について説明したが、これに限らず、例えばマット式のマッサージ装置であってもよい。また、タイムスケジュール表示部３７をリモコンに設けたものについて説明したが、この表示部３７を例えばアームレスト部１３Ａに設けてもよい。
【００３０】
【発明の効果】
以上説明したように、この発明によれば、各マッサージ機能別にタイムスケジュールが明確に分かる。
【図面の簡単な説明】
【図１】この発明に係るマッサージ装置の外観を示す斜視図である。
【図２】この発明に係るマッサージ装置のオットマンの構成を示す平面図である。
【図３】リモートコントロール装置を示した説明図である。
【図４】図３のリモートコントロール装置のタイムスケジュール表示部の他の例を示した説明図である。
【図５】第２の実施形態のタイムスケジュール表示部を示した説明図である。
【符号の説明】
１０　椅子式マッサージ装置
１５〜２０　エアーバッグ
２１　メカマッサージ機
２２　ヒータ
２３　電床帯
２４　バイブレータ
３０　リモコン
３７　タイムスケジュール表示部
【図１】
2004057476.tif 000003
【図２】
2004057476.tif 000004
【図３】
2004057476.tif 000005
【図４】
2004057476.tif 000006
【図５】
2004057476.tif 000007